(57)【要約】【課題】適用可能な最大径の硬貨と適用可能な最小径の硬貨との大きさの差を広く設定した場合でも、最小径の硬貨を確実に所定間隔で分離して繰り出すことができるようにする。【解決手段】中心線Ｘ０を中心として矢印Ａ方向へ回転する回転盤３と、回転盤３の盤面上に設けられておりコイン３５の外周面の一部分を押すことによりコイン３５を搬送する爪１４，１６と、爪１４，１６によって搬送されるコイン３５を回転盤３の外部へ送り出す送出レール９とを有する硬貨繰出装置１である。回転盤３の回転方向Ａに沿って送出レール９の上流側に設けられたコイン押圧部材７は、連なっているコイン３５Ａ，３５Ｂの外側のもの３５Ａの外周面に当接し、内側コイン３５Ｂを矢印Ｖ１の方向へ押し遣るように外側コイン３５Ａを押圧する。押し遣られた内側コイン３５Ｂが送出レール９に取り込まれることを阻止する凸部１３、１５が設けられている。【選択図】図７
2014191804.tif 000002
【特許請求の範囲】
【請求項１】
複数枚のコインを収納できる収納部と、
当該収納部内に収納された前記複数枚のコインが接触する盤面を有すると共に自身を貫通する回転中心線を中心として回転可能である回転盤と、
前記回転盤の盤面上に設けられておりコインの外周面の一部分を押すことにより当該コインを搬送するコイン押用突部と、
当該コイン押用突部によって搬送されるコインを前記回転盤の外部へ送り出す送出手段と、を有する硬貨繰出装置において、
前記回転盤の回転方向に沿って前記送出手段の上流側にコイン押圧手段が設けられており、
当該コイン押圧手段は、前記回転盤の盤面上で連なった状態で搬送される複数のコインの最も外側のものの外周面に当接し、当該最も外側のコイン又はそのコインに連なっている内側のコインの一方をそれらの搬送方向の下流側へ押し遣るように前記最も外側のコインを押圧し、さらに
前記最も外側のコイン又は前記内側のコインの一方が前記送出手段に取り込まれることを阻止する送出阻止手段が設けられている
ことを特徴とする硬貨繰出装置。
【請求項２】
前記回転盤は、前記盤面を上にした状態で水平方向と鉛直方向との間の角度範囲内で傾斜していることを特徴とする請求項１記載の硬貨繰出装置。
【請求項３】
前記回転盤の盤面は円形状であり、
当該盤面の最下位の位置を角度０°の位置としたとき、前記コイン押圧手段のコイン押圧部は前記回転盤の回転方向に沿って角度９０°から角度１８０°の角度範囲の領域内に設けられており、前記送出手段のコイン受取り部は角度１８０°から角度２７０°の角度範囲の領域内に設けられている
ことを特徴とする請求項２記載の硬貨繰出装置。
【請求項４】
前記コイン押圧手段は、弾性付勢部材によって前記回転盤の中心方向へ付勢されることを特徴とする請求項１から請求項３のいずれか１つに記載の硬貨繰出装置。
【請求項５】
前記送出阻止手段は、前記押し遣られた外側のコイン又は内側のコインの一方が乗り上がる乗上げ用突部を有することを特徴とする請求項１から請求項４のいずれか１つに記載の硬貨繰出装置。
【請求項６】
前記コイン押用突部は複数個が前記回転盤の盤面上の１つの円軌跡上に設けられており、前記乗上げ用突部は前記コイン押用突部についての円軌跡と同じ円軌跡上に設けられることを特徴とする請求項５記載の硬貨繰出装置。
【請求項７】
前記コイン押用突部は搬送可能な最大直径のコインを搬送できる位置に設けられており、当該コイン押用突部は前記最大直径のコインよりも径が小さい２つのコインを前記回転盤の盤面上で連なった状態で搬送できる領域を形成していることを特徴とする請求項１から請求項６のいずれか１つに記載の硬貨繰出装置。
【請求項８】
複数のコインを１枚ずつ繰り出す硬貨繰出装置と、当該硬貨繰出装置から繰り出されたコインに対して処理を行う硬貨処理手段とを有する硬貨処理装置において、前記硬貨繰出装置は請求項１から請求項７のいずれか１つに記載の硬貨繰出装置であることを特徴とする硬貨処理装置。
【発明の詳細な説明】
【技術分野】
【０００１】
本発明は、複数枚のコインを所定の時間間隔又は所定の距離間隔で１枚ずつ繰り出す硬貨繰出装置に関する。また、本発明は、その硬貨繰出装置から繰り出されたコインに対して所望の処理を行う硬貨処理装置に関する。
【背景技術】
【０００２】
自動取引装置、自動販売機、硬貨計数装置等のような自動機器は、硬貨等といったコインの投入に基づいて所定の機能を提供する。上記の硬貨繰出装置は、例えばこの自動機器において出金ユニットや入金繰出装置として適用される。出金ユニットはコインを釣銭等として自動機器の外部へ出金するための装置である。また、入金繰出装置は、自動機器へ一括投入された複数枚のコインを自動機器の内部において１枚ずつ繰り出す装置である。
【０００３】
硬貨処理装置は硬貨繰出装置を内蔵して成る装置である。上記の自動機器はそれ自体が硬貨処理装置の１つである。また、特定の機能を奏する何等かの硬貨処理装置がその自動機器の内部に含まれる場合もある。
【０００４】
従来、硬貨繰出装置として特許文献１に開示されたものが知られている。ここに開示された硬貨繰出装置は、投入されたコイン、例えば硬貨を収納する収納部と、その内部に傾斜して配置された回転円盤とを有している。この回転円盤の表面には硬貨１枚の厚さと略同じ高さの爪が設けられている。また、回転円盤の表面には爪以外に突起が設けられている。回転円盤の上部領域にはその回転円盤に対向して規制部が設けられている。回転円盤の盤面とその規制部との間には硬貨１枚分程度の隙間が形成されている。規制部の下流位置には送出レールが設けられている。
【０００５】
この硬貨繰出装置は次のように動作する。
（１）収納部へ複数枚の硬貨が投入される。
（２）収納部に収納された硬貨は、回転円盤が回転したときに、その回転円盤に設けられた爪と突起とによって掻き揚げられる。回転円盤の盤面上における爪及び突起の設置位置は、最大径の硬貨を確実に掻き揚げることができるような位置に設定されている。
（３）掻き揚げられた硬貨は、爪と突起に引っ掛けられて１枚ずつさらに上方へ搬送され、規制部と回転円盤との間の隙間を通過する。
（４）硬貨が２枚重なった状態で搬送される場合は、上側の硬貨が規制部にぶつかって爪及び突起から外れて収納部へ落下する。また、変形した硬貨が搬送される場合は、その変形硬貨が規制部にぶつかって爪及び突起から外れて収納部へ落下する。
（５）規制部を通過した硬貨は送出レールに到達してその送出レールに受け取られ、さらに送出レールに沿って移動して装置の外部へ繰り出される。
【先行技術文献】
【特許文献】
【０００６】
【特許文献１】特開２０１０−２６２４７９号公報
【発明の概要】
【発明が解決しようとする課題】
【０００７】
上記の従来の硬貨繰出装置において、回転円盤の盤面上での爪及び突起の設置位置は、最大径の硬貨を確実に繰り出すことができる位置に設定されていた。繰出しの対象が直径２０ｍｍ〜直径２６．５ｍｍである日本硬貨の場合、爪及び突起の従来の設置位置の態様により、特に問題なくコインの繰出しが可能であった。
【０００８】
しかしながら、近年では、硬貨繰出装置の汎用性を高めるために、適用可能な最大径の硬貨と最小径の硬貨との大きさの差を広く設定したいという要望が強くなって来た。具体的には、直径１６ｍｍ〜直径２７ｍｍの範囲内の硬貨を１枚ずつ繰り出すことができる仕様を満たすことが要望されるようになってきた。
【０００９】
この状況下では、爪と突起とを直径２７ｍｍの硬貨を掻き揚げることができる位置に設置すると、そのように設置された爪と突起とによって直径１６ｍｍの２枚の硬貨が平面的に連なって掻き揚げられる状態が発生することが分かった。このように２枚の硬貨が平面的に連なって掻き揚げられてそれらが連なった状態で外部へ繰り出されると、硬貨繰出装置の硬貨繰出口に設けた出口センサによる投光時間と遮光時間との間隔が小さくなって２枚の硬貨を１枚の硬貨と誤認してしまうという問題が発生した。
【００１０】
本発明は、従来装置における上記の問題点に鑑みて成されたものであって、適用可能な最大径の硬貨と適用可能な最小径の硬貨との大きさの差を広く設定した場合でも、最小径の硬貨を確実に所定間隔で分離して繰り出すことができる硬貨繰出装置及び硬貨処理装置を提供することを目的とする。
【課題を解決するための手段】
【００１１】
本発明に係る硬貨繰出装置は、複数枚のコインを収納できる収納部と、当該収納部内に収納された前記複数枚のコインが接触する盤面を有すると共に自身を貫通する回転中心線を中心として回転可能である回転盤と、前記回転盤の盤面上に設けられておりコインの外周面の一部分を押すことにより当該コインを搬送するコイン押用突部と、当該コイン押用突部によって搬送されるコインを前記回転盤の外部へ送り出す送出手段とを有する硬貨繰出装置である。この装置においては、前記回転盤の回転方向に沿って前記送出手段の上流側にコイン押圧手段が設けられている。当該コイン押圧手段は、前記回転盤の盤面上で連なった状態で搬送される複数のコインの最も外側のものの外周面に当接し、当該最も外側のコイン又はそのコインに連なっている内側のコインの一方をそれらの搬送方向の下流側へ押し遣るように前記最も外側のコインを押圧し、さらに前記最も外側のコイン又は前記内側のコインの一方が前記送出手段に取り込まれることを阻止する送出阻止手段が設けられていることを特徴とする。
【００１２】
本発明に係る硬貨繰出装置においては、外側コイン又は内側コインをコイン押圧手段によって強制的に搬送方向の下流側へ押し遣ることにし、さらに押し遣られたコインが送出手段に取り込まれることを送出阻止手段によって阻止することにしたので、適用可能な２枚の最小径の硬貨が回転盤によって誤って連続して連なった状態で搬送された場合でも、最小径の硬貨を確実に所定間隔で分離して繰り出すことができる。
【００１３】
本発明に係る硬貨繰出装置において、前記回転盤は、前記盤面を上にした状態で水平方向と鉛直方向との間の角度範囲内で傾斜して設けることができる。これにより、コインに作用する重力を有効に活用して当該コインを回転盤によって安定して搬送できる。また、回転盤を傾斜状態とすることにより、コイン押圧手段によって押し遣られたコインを自重によって落下させることができ、これによりコインの一方が前記送出手段に取り込まれることを阻止できる。
【００１４】
本発明に係る硬貨繰出装置において、前記回転盤の盤面は円形状とすることができ、当該盤面の最下位の位置を角度０°の位置としたとき、前記コイン押圧手段のコイン押圧部は前記回転盤の回転方向に沿って角度９０°から角度１８０°の角度範囲の領域内に設けることができ、前記送出手段のコイン受取り部は角度１８０°から角度２７０°の角度範囲の領域内に設けることができる。
この構成により、回転盤上で連続して連なった状態で搬送される２枚の小型のコインを分離することに関して、コイン押圧部材と送出手段とを互いに好適な相対的な位置に配置することができる。
【００１５】
本発明に係る硬貨繰出装置において、前記コイン押圧手段は圧縮バネ等といった弾性付勢部材によって前記回転盤の中心方向へ付勢される構成とすることができる。この構成により、コイン押圧手段からコインに付与される力を所望の大きさに正確に設定することができる。
【００１６】
本発明に係る硬貨繰出装置において、前記送出阻止手段は、（１）前記コイン押圧手段によって押し遣られた外側のコイン又は内側のコインの一方が乗り上がる乗上げ用突部を回転盤上に設けること、（２）回転盤を傾斜状態で配置すること、（３）送出手段の上端辺の幅をコインの厚さよりも小さくすること、及び（４）コイン押圧手段の下流位置であって送出手段の上流位置に規制部材を設けること、のいずれか１つ又はそれらの２つ以上の組み合せによって構成することができる。しかしながら、前記送出阻止手段は、上記の乗上げ用突部によって構成されることが望ましい。これにより、回転盤上で連続して連なって搬送される２枚のコインのうちの一方を確実に収納部へ回収し、１枚のコインだけを送出手段へ送り込むことができる。
【００１７】
本発明に係る硬貨繰出装置において、前記コイン押用突部は複数個が前記回転盤の盤面上の１つの円軌跡上に設けることができる。そして、前記乗上げ用突部は前記コイン押用突部についての円軌跡と同じ円軌跡上に設けることができる。
この構成によれば、送出手段を回転盤に近接する送出レールによって構成することにした場合に、送出レールがコイン押用突部とぶつかることを回避するための溝と、送出レールが乗上げ用凸部とぶつかることを回避するための溝とを共通にすることが可能となる。
【００１８】
本発明に係る硬貨繰出装置において、前記コイン押用突部は搬送可能な最大直径のコインを搬送できる位置に設けることができる。そしてこの場合、当該コイン押用突部は前記最大直径のコインよりも径が小さい２つのコインを前記回転盤の盤面上で連なった状態で搬送できることが望ましい。
これにより、小型のコインから大型のコインまで多種類のコインを本硬貨繰出装置によって取り扱うことが可能になる。そして、このようにして小さい２つのコインが回転盤の盤面上で連なって搬送される事態が生じた場合でも、本発明に係る硬貨繰出装置ではコイン押圧手段と送出阻止手段との協働により、それら２つのコインのうちの１つだけを安定して外部へ繰出すことができる。
【００１９】
次に、本発明に係る硬貨処理装置は、複数のコインを１枚ずつ繰り出す硬貨繰出装置と、当該硬貨繰出装置から繰り出されたコインに対して処理を行う硬貨処理手段とを有する硬貨処理装置において、前記硬貨繰出装置が以上に説明した各構成の硬貨繰出装置によって構成されることを特徴とする。
既述の通り、本発明に係る硬貨繰出装置によればコイン出口から所定の時間間隔すなわち所定の距離間隔で硬貨を１枚ずつ正確に繰り出すことができるので、硬貨処理装置において搬送される複数の硬貨の間隔不良による硬貨識別装置での誤認識や、誤認識の結果として無用のリジェクト（すなわち返却）が行われること、等を防止できる。
【発明の効果】
【００２０】
本発明に係る硬貨繰出装置においては、外側コイン又は内側コインをコイン押圧手段によって強制的に搬送方向の下流側へ押し遣ることにし、さらに押し遣られたコインが送出手段に取り込まれることを送出阻止手段によって阻止することにしたので、適用可能な２枚の最小径の硬貨が回転盤によって誤って連続して連なった状態で搬送された場合でも、最小径の硬貨を確実に所定間隔で分離して繰り出すことができる。
【図面の簡単な説明】
【００２１】
【図１】本発明に係る硬貨繰出装置の一実施形態を示す斜視図である。
【図２】図１のＢ−Ｂ線に従った回転盤の断面図である。
【図３】図１の硬貨繰出装置の正面図であり、特に回転盤を分かり易く示す図である。
【図４】図３のａ−ａ断面、ｂ−ｂ断面、ｃ−ｃ断面、ｄ−ｄ断面の構造を示す断面図である。
【図５】図３と同じ部分を示す正面図であるが、図３とは異なった構成部品を詳しく説明する図である。
【図６】図１の硬貨繰出装置の動作を説明するための図であり、最大径の硬貨の処理動作を示す図である。
【図７】図１の硬貨繰出装置の他の動作を示す図であり、最小径の硬貨の処理動作を示す図である。
【図８】図７の動作に引き続く動作を示す図である。
【図９】図１の硬貨繰出装置のさらに他の動作を示す図であり、図７の動作とは異なった最小径の硬貨の処理動作を示す図である。
【図１０】図９の動作に引き続く動作を示す図である。
【図１１】本発明に係る硬貨処理装置の一実施形態を示すブロック図である。
【図１２】本発明に係る硬貨処理装置の他の実施形態を示す縦断面図である。
【発明を実施するための形態】
【００２２】
以下、本発明に係る硬貨繰出装置を実施形態に基づいて説明する。なお、本発明がこの実施形態に限定されないことはもちろんである。また、本明細書に添付した図面では特徴的な部分を分かり易く示すために実際のものとは異なった比率で構成要素を示す場合がある。
【００２３】
（全体的な構成）
図１は、本発明に係る硬貨繰出装置の一実施形態を示している。本実施形態の硬貨繰出装置１ではコインとして硬貨が取り扱われるものとする。また、本実施形態では、直径１６ｍｍの最小硬貨から直径２７ｍｍの最大硬貨までの複数種類の大きさの硬貨を扱うことが可能である。
【００２４】
自動販売機等といった自動機器はそれ自体が硬貨処理装置である。また、その自動機器の内部には必要に応じて各種の硬貨処理装置が設置される。例えば、硬貨を搬送する処理や、硬貨の種類を識別する処理や、硬貨を金種別に振分ける処理や、その他硬貨に対して必要となる各種の処理を行う硬貨処理装置が自動機器の内部に設置される。
【００２５】
図１の硬貨繰出装置１は上記の硬貨処理装置を構成する１つの構成機器として用いられる。例えば、この硬貨繰出装置１は、利用者が自動機器へ一括で入金した複数枚の硬貨を収納すると共に、それらの硬貨を１枚ずつ硬貨処理装置内の後段の機器、例えば硬貨搬送処理部へ繰出す機能を奏する。
【００２６】
図１において、硬貨繰出装置１は、複数の硬貨を収納するための容器である収納部２と、その収納部２の内部に設けられた回転盤３とを有している。収納部２は本体ケーシング４に取り付けられている。回転盤３は中心線Ｘ０を中心として回転可能に本体ケーシング４に取り付けられている。本体ケーシング４の適所にはモータ（図示せず）が設けられており、回転盤３はこのモータによって駆動されて矢印Ａで示すように回転する。モータと回転盤３との間には必要に応じて減速機が設けられる。本実施形態ではモータの出力軸が時計回転する状態が正転であり、反時計回転する状態が逆転である。
【００２７】
収納部２はホッパと呼ばれることがある。収納部２は複数の硬貨を収納できる金属製又はプラスチック製の容器によって形成されている。収納部２の下部にはセンサ（図示せず）が設けられており、このセンサにより収納部２内に硬貨が有るか無いかを判別する。図２は図１の矢印Ｂ−Ｂに従って回転盤３の縦断面構造を示している。図２に示すように、収納部２に収納された硬貨５は回転盤３の盤面３ｄに接触する。盤面３ｄは水平方向Ｘｈ及び鉛直方向（重力が作用する方向）Ｘｖの両方に対して傾斜している。具体的には、鉛直方向Ｘｖに対して角度θ０で傾斜している。角度θ０は硬貨５の掻き揚げ処理を円滑且つ安定に行うことができる適宜の角度に設定される。
【００２８】
図１において、回転盤３の周囲には、回転盤３の回転方向Ａに沿った上流側から順に、コイン押圧手段としてのコイン押圧部材７と、２枚以上の硬貨が重なって搬送されることを規制する規制部材８と、送出手段としての送出レール９とが設けられている。規制部材８の裏面と回転盤３の盤面３ｄとの間には、適用される硬貨の中で最大の厚さを有する硬貨５の１枚の厚さよりもわずかに大きい隙間が形成されている。規制部材８は硬貨を１枚だけ通過させるように硬貨の通過を規制する。
【００２９】
送出レール９はコイン出口１０から斜め上方へ延在している。送出レール９は回転盤３に対して微小間隔を形成するように本体ケーシング４の機枠によって位置不動に固定配置されている。回転盤３によって搬送された硬貨は送出レール９の上辺に乗って１枚ずつ回転盤３の外部へ送出される。
【００３０】
（回転盤３に関連する構成）
図３は回転盤３を正面から見た場合の硬貨繰出装置１の構成を示している。図３では、構造を分かり易くするために、収納部２を仮想線で簡単に示し、さらに規制部材８の図示を省略している。図３において回転盤３は、硬貨５と接触する盤面３ｄを形成している表材３aと、表材３ａの裏側に設けられた第１の裏材３ｂと、同じく表材３ａの裏側に設けられた第２の裏材３ｃとによって構成されている。表材３ａは例えばプラスチックによって円板状に形成されている。第１の裏材３ｂは金属、例えば鉄を主成分とする金属によって環状、すなわちリング状に形成されている。第２の裏材３ｃは金属、例えば鉄を主成分とする金属によって概ね角板状に形成されている。
【００３１】
回転盤３の盤面３ｄ上には複数種類の突部が設けられている。具体的には、コイン載せ用突部としての複数（本実施形態では４個）の突起１２と、乗上げ用突部としての複数（本実施形態では４個）の内側凸部１３と、コイン押用突部としての複数（本実施形態では４個）の内側爪１４と、乗上げ用突部としての複数（本実施形態では４個）の外側凸部１５と、コイン押用突部としての複数（本実施形態では４個）の外側爪１６と、複数（本実施形態では４個）の掻揚げ用突部１７とが設けられている。
【００３２】
突起１２、内側凸部１３、内側爪１４、外側凸部１５、外側爪１６、そして掻揚げ用突部１７の各突部の盤面３ｄからの高さは約２ｍｍである。２ｍｍという寸法は、取り扱われるコインの最大の厚さよりも少し小さい寸法である。
【００３３】
４個の突起１２は回転盤３の回転中心線Ｘ０を中心とする１つの円軌跡Ｃ１上に等角度間隔で設けられている。４個の内側凸部１３は他の１つの円軌跡Ｃ２上に等角度間隔で設けられている。４個の内側爪１４は内側凸部１３と同じ円軌跡Ｃ２上に等角度間隔で設けられている。４個の外側凸部１５は他の１つの円軌跡Ｃ３上に等角度間隔で設けられている。４個の外側爪１６は外側凸部１５と同じ円軌跡Ｃ３上に等角度間隔で設けられている。そして、４個の掻揚げ用突部１７は他の１つの円軌跡Ｃ４上に等角度間隔で設けられている。
【００３４】
回転盤３の表材３ａの円軌跡Ｃ１の部分には４つの貫通孔Ｋ１が形成されている。そして、ｄ−ｄ断面である図４（ｄ）に示すように、第２の裏材３ｃから延びている起立片が貫通孔Ｋ１を貫通することによって突起１２が形成されている。また、図３の回転盤３の表材３ａをプラスチックによって成形する際に円軌跡Ｃ２の部分に図４（ｃ）（図３のｃ−ｃ断面に相当）に示すように内側凸部１３が形成され、さらに円軌跡Ｃ３の部分に図４（ｂ）（図３のｂ−ｂ断面に相当）に示すように外側凸部１５が形成される。回転盤３の回転方向Ａに沿って内側凸部１３及び外側凸部１５の上流側の端部はテーパ面（すなわち傾斜面）Ｔとなっている。一方、内側凸部１３及び外側凸部１５の下流側の端部は直角な面となっている。
【００３５】
図３の回転盤３の表材３ａの円軌跡Ｃ２の部分には４つの貫通孔Ｋ２が等角度間隔で形成されている。そして、図４（ｃ）（図３のｃ−ｃ断面に相当）に示すように、第１の裏材３ｂから延びている起立片が貫通孔Ｋ２を貫通することによって内側爪１４が形成されている。また、図３の回転盤３の表材３ａの円軌跡Ｃ３の部分には４つの貫通孔Ｋ３が等角度間隔で形成されている。そして、図４（ｂ）に示すように、第１の裏材３ｂから延びている起立片が貫通孔Ｋ３を貫通することによって外側爪１６が形成されている。
【００３６】
さらに、図３の回転盤３の表材３ａをプラスチックによって成形する際に円軌跡Ｃ４の部分に図４（ａ）に示すように掻揚げ用突部１７が形成される。回転盤３の回転方向Ａに沿って掻揚げ用突部１７の上流側の端部はテーパ面（すなわち傾斜面）Ｔとなっている。一方、掻揚げ用突部１７の下流側の端部は直角な面となっている。
【００３７】
なお、本実施形態では図３の回転盤３を表材３ａ、第１の裏材３ｂ及び第２の裏材３ｃといった複数の部材によって形成しているが、回転盤３を１つの部材によって形成しても良いことはもちろんである。このように回転盤３を１つの部材で形成する場合には、突起１２、内側凸部１３、内側爪１４、外側凸部１５、外側爪１６、そして掻揚げ用突部１７といった各種の突部はその１つの部材の一部分として形成されることになる。
【００３８】
本実施形態において、図３の突起１２は内側爪１４及び外側爪１６と協働して、収容部２内に貯留された複数枚の硬貨５から１枚の硬貨を掻き揚げる。この場合、突起１２は硬貨を載せる作用を奏し、内側爪１４及び外側爪１６は硬貨の搬送方向に見た後方側の一部を押す作用を奏する。また、内側凸部１３及び外側凸部１５は、コイン押圧部材７によって押し遣られた又は弾き飛ばされた小径硬貨を乗り上げさせることで、硬貨が送出レール９に取り込まれることを阻止する働きをする。この働きにより、小径硬貨が２枚連続して連なって送出レール９へ向けて搬送されることを防止できる。
【００３９】
（コイン押圧部材７に関連する構成）
図５において硬貨繰出装置１の構成は図３に示した硬貨繰出装置１の構成と全く同じである。図３は主に回転盤３の構成を分かり易く示している。一方、図５はコイン押圧部材７に関連する構成を分かり易く示している。
【００４０】
図２に示すように回転盤３の盤面３ｄは傾斜した状態で上下方向へ延在している。図５において、回転盤３の最下位の位置を角度０°の位置とし、回転盤３の回転方向Ａに沿って角度９０°、１８０°、２７０°、３６０°の各位置を考える。すると、本実施形態においてコイン押圧部材７のコイン押圧部７ａの全体又は一部分は角度９０°から角度１８０°の角度範囲内の領域に配置される。また、送出レール９の先端部（すなわちコイン受取り部）９ａは角度１８０°から角度２７０°の角度範囲内の領域に配置される。
【００４１】
コイン押圧部材７の周辺には、硬貨５を案内するための壁部材２０が回転盤３の外周面に沿って設けられている。コイン押圧部材７のコイン押圧部７ａは壁部材２０の一部に設けた開口から回転盤３の前方領域へ臨み出ている。コイン押圧部７ａは本実施形態では円弧形状に形成されている。この円弧形状の曲率は回転盤３の外周面の曲率と同じか、あるいは回転盤３の外周面の曲率よりも小さく（すなわち回転盤３の外周面よりも緩やかな曲面として）形成されている。コイン押圧部７ａは平面であっても良い。
【００４２】
壁部材２０の盤面３ｄからの高さ（図５の紙面を貫通する方向の長さ）は５ｍｍ〜１５ｍｍである。コイン押圧部材７は壁部材２０と略同じ高さを有している。コイン押圧部材７は軸２１を中心として回動可能である。コイン押圧部材７の背面と本体ケーシング４の壁４ａとの間に弾性付勢部材としての圧縮バネ２２が設けられている。コイン押圧部材７のコイン押圧部７ａは圧縮バネ２２に付勢された状態で壁部材２０のわずか前方へ臨出している。
【００４３】
コイン押圧部材７が圧縮バネ２２で付勢されている自然状態において、コイン押圧部７ａの中心点と回転盤３の中心線Ｘ０とを結ぶ直線が水平線Ｘｈと成す角度θ１は約５５°である。また、回転盤３の中心線Ｘ０からコイン押圧部７ａのそれぞれの片側の端部を見込む角度θ２は約１０°である。
【００４４】
圧縮バネ２２はコイン押圧部材７に付勢力を加えるものである。この圧縮バネ２２のバネ力は、コイン押圧部材７が硬貨を押し遣るとき又は弾くときの力の強さを測定し、その測定によって最良値を設定することが望ましい。本発明者の実験によれば、約０．７Ｎ（ニュートン）が好適であった。バネ力が強過ぎると硬貨が凸部１３，１５にてジャンプして（すなわち飛び上って）しまい、送出レール９に乗ってしまうことや、正常に突起１２に載っている硬貨に衝突してその硬貨を収納部２へ落下させてしまったりするおそれがあるので、注意が必要である。
【００４５】
（送出レール）
送出レール９の裏面は回転盤３の盤面３ｄに近接している。具体的には、送出レール９の裏面と回転盤３の盤面３ｄとの間の隙間は硬貨５の厚さよりも小さい値に設定されている。これにより、送出レール９の先端部９ａの所まで硬貨５が搬送されると、その硬貨５は送出レール９の上端に載る。その後、硬貨５は送出レール９の上端辺を転がって矢印Ｄで示す方向へ送り出される。送出レール９の上端辺の幅（図５の紙面を貫通する方向の長さ）は約１ｍｍである。送出レール９によって外部（コイン出口１０）へ繰出された硬貨５は送出検知器によって検知される。送出検知器は、例えば発光素子２５と受光センサ２６とから成る光センサによって構成できる。
【００４６】
送出レール９の先端部９ａの位置は、円軌跡Ｃ１上を回転する突起１２がぶつからない位置である。送出レール９の裏面には３つの溝２７ａ，２７ｂ，２７ｃが形成されている。これらの溝２７ａ，２７ｂ，２７ｃは、それぞれ、円軌跡Ｃ２，Ｃ３，Ｃ４のそれぞれに一致した位置に形成されている。凸部１３，１５、爪１４，１６及び突部１７はこれらの溝２７ａ，２７ｂ，２７ｃの中を通過することにより、送出レール９にぶつかることなく回動することができる。
【００４７】
（検知系及び制御系）
本実施形態の硬貨繰出装置１には、硬貨の残留検知器、回転盤の回転検知器、硬貨の送出検知器等といった各種の検知器が設けられる。硬貨の残留検知器は、図１の収納部２内に硬貨が有るか無いかを検知する検知器である。回転検知器は回転盤３の回転速度を検知したり、回転盤３が停止したかどうかを検知するための検知器である。硬貨の送出検知器はコイン出口から繰出された硬貨を検知するための検知器である。
【００４８】
硬貨繰出装置１の制御を司る制御系は硬貨繰出装置１のための専用の制御装置であっても良いし、硬貨繰出装置１を１つの構成要素とする硬貨処理装置の制御を司る制御装置であっても良いし、あるいは、自動販売機等といった自動機器の制御を司る制御装置であってもよい。また、制御装置はコンピュータを含んだ制御装置であっても良いし、コンピュータを含まないシーケンス・コントローラによって構成された制御装置であっても良い。
【００４９】
（硬貨繰出装置の動作）
以下、上記構成より成る硬貨繰出装置１の動作を説明する。硬貨繰出装置１は当初、待機状態に置かれている。例えば自動販売機等といった自動機器に硬貨が投入されると、図１の収納部２内に硬貨が収納され、次いで、投入された硬貨の繰出し処理が開始される。
【００５０】
処理が開始されると、図１の本体ケーシング４の適所に設けられたモータ（図示せず）が作動して回転盤３が矢印Ａ方向へ回転（正回転）を開始する。回転盤３が正回転すると、収納部２内に溜まった硬貨５は図３において回転盤３の盤面３ｄ上の掻揚げ用突起１７、内側爪１４及び外側爪１６によって上方へ掻き揚げられる。
【００５１】
掻き揚げられた硬貨５は、図６（ａ）に示すようにコイン載せ用突部としての突起１２に載った状態でコイン押用突部としての２つの爪、すなわち内側爪１４及び外側爪１６によって外周面の一部を押されながら回転盤３の回転に応じて搬送される。この硬貨５は図１の規制部材８の裏側を通過する。このとき、不正に変形した硬貨や、２枚重なって搬送されてきた硬貨のうちの上側の硬貨は、規制部材８によって通過を阻止されて、規制部材８から落下する。
【００５２】
規制部材８を通過した正常な硬貨は、図６（ｂ）に示すように、送出レール９の先端部９ａに当接し、さらに送出レール９の上端辺に乗って移動する。この硬貨は、さらに内側爪１４及び外側爪１６によって押されて送出レール９上で搬送されて、回転盤３の外部へ送り出される。送り出された硬貨は、後段の各種の処理装置へ搬送されて、所定の処理を受ける。図６（ａ）及び図６（ｂ）では硬貨５が搬送可能な最大径の硬貨である場合を示している。硬貨がより小径の硬貨である場合は、硬貨の上端が回転盤３の外周面に届かない状態となり、場合によっては内側爪１４だけによって硬貨が押されることがある。
【００５３】
（付加的な処理）
本実施形態の硬貨繰出装置１においては、上記の正常な硬貨繰出し処理の他に、残留硬貨の監視処理、噛み込み発生の判断処理、噛み込み解除処理、繰出し不良の判断処理等といった各種の処理を行う。
【００５４】
（１）残留硬貨の監視処理は、図１の収納部２の適所に設けたセンサ（図示せず）の出力信号を監視することによって行われる。具体的には、センサが硬貨を検知しなくなったときに、硬貨の残留がなくなったものと判断する。
【００５５】
（２）噛み込み発生の判断処理は、図１の本体ケーシング４の適所に設けたモータの出力軸の回転速度の変化又は停止の検知や、モータへの過電流の検知によって判断する。回転速度及び過電流の両方から総合的に判断することもできる。例えば、回転盤３が停止していない場合でも、過電流が継続的に検出されたときには、規制部材８による硬貨の噛み込みが発生したと判断できる。
【００５６】
（３）噛み込み解除処理は、規制部材８への硬貨５の噛み込みが発生したと判断された場合に行われる。この噛み込み解除処理は、回転盤３を逆回転させて硬貨を戻し移動させることによって行われる。この逆転は予め定められた時間をかけて行う。回転盤３を逆転させても噛み込みが解消しない場合には、回転盤３を再度、正回転させる。また、噛み込みが繰り返して発生する場合には、回転盤３を再度、逆回転させる。この再度の逆転処理を所定回数繰り返して行っても噛み込みが解消しない場合は、異常が発生していると判断して、硬貨の繰出し処理を終了する。
【００５７】
（４）繰出し不良の判断処理は次のようにして行われる。すなわち、図１の収納部２の適所に設けたコイン残留検知センサ（図示せず）によって残留硬貨が有ると判断されている状態で、回転盤３が正回転しているにも関わらず、所定時間経っても硬貨の繰出しが成されない場合に、繰出し不良と判断する。繰出し不良と判断した場合には、モータの逆回転及び回転速度の変速の両方又はいずれか一方を行う。
【００５８】
（小硬貨が連なって搬送される第１のケース）
本実施形態では図６（ａ）に示すように、最大直径である直径２７ｍｍの大硬貨５を搬送できるように突起１２、内側爪１４及び外側爪１６の回転盤３上における設置位置が決められている。突起１２、内側爪１４及び外側爪１６の設置位置をこのように大硬貨用に設定すると、図７（ｃ）に示すように、最小直径である直径１６ｍｍの２枚の小硬貨３５が互いに平面的に連なった状態で突起１２、内側爪１４、外側爪１６及び掻揚げ用突部１７の上に掻き揚げられてしまうことがある。
【００５９】
具体的には、図７（ｃ）に示す場合は、外側の硬貨３５Ａが外側爪１６に載り、内側の硬貨３５Ｂが外側の硬貨３５Ａと突起１２に載っている。このような２枚の硬貨３５Ａ及び３５Ｂがコイン押圧部材７に到達すると、図７（ｄ）に示すように外側の硬貨３５Ａがコイン押圧部材７を圧縮バネ２２のバネ力に抗してコイン押圧部材７を持ち上げる。圧縮バネ２２のバネ力はコイン押圧部材７を通して外側硬貨３５Ａ及び内側硬貨３５Ｂのそれぞれへ伝わる。
【００６０】
互いに連なっている外側硬貨３５Ａ及び内側硬貨３５Ｂがコイン押圧部材７に当接すると、外側硬貨３５Ａには外側爪１６と内側硬貨３５Ｂとの位置関係のために現状の位置に留まる方向の力が加わる。一方、内側硬貨３５Ｂは、外側硬貨３５Ａと突起１２との位置関係のために、送出レール９側へ向かうベクトルＶ１方向へ押し遣られる。押し遣られた内側硬貨３５Ｂは図８（ｅ）に示すように回転盤３の回転方向Ａに沿って下流側に位置する外側凸部１５又は内側凸部１３の上に乗り上げ、そして送出レール９の上辺に乗ること無くそのレール９上を通過して、収納部２へ落下する。
【００６１】
一方、外側硬貨３５Ａは、内側硬貨３５Ｂの落下によって発生したスペースへ自重によって移動して内側爪１４及び突起１２の上に載る。さらに外側硬貨３５Ａは図８（ｆ）に示すように自重で移動して送出レール９の上に載る。その後、外側硬貨３５Ａは送出レール９上を移動した後にコイン出口１０から外部へ繰り出される。
【００６２】
（小硬貨が連なって搬送される第２のケース）
図９（ｇ）に示すように、外側硬貨３５Ａが内側硬貨３５Ｂの上に載り、内側硬貨３５Ｂが内側爪１４及び突起１２の上に載ることがある。このような連なり状態にある２つの硬貨３５Ａ及び３５Ｂのうちの外側の硬貨３５Ａが図９（ｈ）に示すようにコイン押圧部材７に到達すると、まず、外側硬貨３５Ａがコイン押圧部材７を持ち上げる。そして、圧縮バネ２２による付勢力がコイン押圧部材７を通して各硬貨３５Ａ，３５Ｂへ加わる。
【００６３】
このとき、内側硬貨３５Ｂは突起１２と内側爪１４の上に乗っており、外側硬貨３５Ａは単に内側硬貨３５Ｂの上に乗っている状態である。このため、外側硬貨３５Ａは付勢されたコイン押圧部７ａに対する接触の初期段階では動きが不安定になり、その結果、収納部２へ落下することが多い。また、外側硬貨３５Ａと内側硬貨３５Ｂとの接触状態が比較的安定していてそれらの硬貨がコイン押圧部７ａの中心点付近まで搬送された場合であっても、外側硬貨３５Ａはコイン押圧部材７によって送出レール９側へ向かうベクトルＶ２方向へ押し遣られて弾かれる。そして、内側硬貨３５Ｂは突起１２と内側爪１４との上に乗った状態に留まる。なお、外側硬貨３５Ａには比較的大きな遠心力が加わるので、外側硬貨３５Ａはバネ２２による付勢力と遠心力との相乗効果によってベクトルＶ２方向へ押し遣られる。
【００６４】
コイン押圧部材７によって押し遣られて弾かれた外側硬貨３５Ａは、図１０（ｉ）に示すように回転盤３の回転方向Ａの下流側に設けられている内側凸部１３及び外側凸部１５に乗上げる。これにより、外側硬貨３５Ａは送出レール９の上を通過して収納部２へ落下する。一方、内側硬貨３５Ｂは弾かれること無く内側爪１４と突起１２の上に乗ったままの状態で搬送され、回転盤３の頂点領域を越えた後に自重によって移動して、図１０（ｊ）に示すように送出レール９へ移動する。その後、内側硬貨３５Ｂは送出レール９の上辺を転がって移動した後、コイン出口１０へ繰出される。
【００６５】
（送出阻止手段）
本実施形態では、図７（ｃ）及び図９（ｇ）に示すように複数枚のコイン３５が連なった状態で搬送されたときに、最も外側のコイン３５Ａ又は内側のコイン３５Ｂの一方が送出レール９に取り込まれることを阻止する送出阻止手段が設けられている。
【００６６】
具体的には、
（１）乗上げ用突部である内側凸部１３及び外側凸部１５の少なくとも１つを設けること、
（２）回転盤３を図２に示すように傾斜状態で配置すること、
（３）送出レール９の上端辺の幅（すなわち回転盤３の盤面３ｄからの高さ方向の幅）を硬貨３５の厚さよりも小さくしていること、及び
（４）図１に示すようにコイン押圧部材７の下流位置であって送出レール９の上流位置に規制部材８を設けること、
のいずれか１つ又はそれらの２つ以上の組み合せによって送出阻止手段を構成することができる。
【００６７】
より具体的には、
（１）コイン押圧部材７によって押し遣られた硬貨３５を内側凸部１３及び／又は外側凸部１５に乗り上がらせることにより、その硬貨３５を収納部２へ落下させることができる。また、
（２）回転盤３を傾斜状態とすることにより、コイン押圧部材７によって押し遣られた硬貨３５を自重によって落下させることができる。また、
（３）送出レール９の上端辺の幅を硬貨３５の厚さよりも小さくすることにより、コイン押圧部材７によって押し遣られた硬貨３５が送出レール９の上端辺に載ることができずに収納部２へ落下するように構成できる。さらに、
（４）規制部材８を設けることにより、コイン押圧部材７に押し遣られることで動いた状態の硬貨３５を収納部２へ落下させることができる。
【００６８】
（実施形態に係る硬貨繰出装置１によってもたらされる作用及び効果）
以上の説明から理解されるように、本実施形態の硬貨繰出装置１によれば、収納部２に収納された多種類で複数枚の硬貨をコイン出口１０から１枚ずつ分離して繰出すという作用を安定して確実に繰り返して実行できる。
【００６９】
特に、コイン押圧部材７を設けたので、適用可能な最大径の硬貨５と適用可能な最小径の硬貨３５との大きさの差を広く設定した場合でも、最小径の硬貨３５を確実に所定間隔で分離して繰り出すことができる。
【００７０】
コイン出口１０から２枚の硬貨が連続して連なって繰出されてしまうとセンサ２６（図５参照）がそれらの２枚の硬貨を１枚の硬貨であると誤認識してしまうおそれがあるが、本実施形態の硬貨繰出装置１によればそのような誤認識が生じる心配はない。そして、このようにしてコイン出口１０から２枚の硬貨が連続して連なって繰出されてしまうことを防止できることにより、繰出し先の硬貨識別装置で硬貨の誤判定が発生することを防止できる。
【００７１】
本実施形態の硬貨繰出装置１では、図６（ａ）に示すように、最大硬貨（直径２７ｍｍ）を好適に掻き揚げることができるように、爪１４，１６と突起１２とによって形成される硬貨の収容領域を最大硬貨より少し広い領域としている。そのため、処理可能な最小硬貨（直径１６ｍｍ）は図７（ｃ）に示すように爪１４，１６と突起１２とによって形成される領域に２枚が入り込んでしまうという不都合が発生する可能性がある。
【００７２】
このような不都合に対処するため、本実施形態では、コイン押圧部材７の付勢力により硬貨を回転盤３の回転方向（すなわち硬貨の搬送方向）の下流側へ押し遣る又は弾き飛ばすようにしている。図５においてコイン押圧部材７の水平からの角度θ１を適正に設定し、さらにコイン押圧部材７の端部の見込み角度θ２を適正に設定しているのは、コイン押圧部材７による上記の硬貨押し遣り効果を十分に発揮させるためである。
【００７３】
（硬貨繰出装置に関するその他の実施形態）
以上、好ましい実施形態を挙げて本発明を説明したが、本発明はその実施形態に限定されるものでなく、請求の範囲に記載した発明の範囲内で種々に改変できる。
【００７４】
例えば、上記実施形態ではコインとして硬貨を適用したが、コインはその他の円板形状の物体、例えばメダル等を適用することができる。
【００７５】
上記実施形態では図３において回転盤３の表材３ａをプラスチックによって形成し、金属製の第１の裏材３ｂの一部である起立部によって表材３ａを貫通させることにより内側爪１４及び外側爪１６を形成し、さらに、金属製の第２の裏材３ｃの一部である起立部によって表材３ａを貫通させることにより突起１２を形成した。
【００７６】
しかしながら、回転盤３を金属によって形成し、内側爪１４、外側爪１６及び突起１２をエンボス加工によって形成することもできる。また、隆起部位を設けた加工板金を回転盤３の回転軸部材に取り付けるという構成を採用することもできる。
【００７７】
（硬貨処理装置の第１の実施形態）
次に、本発明に係る硬貨処理装置を実施形態に基づいて説明する。
図１１は、本発明に係る硬貨処理装置の一実施形態をブロック図によって示している。この硬貨処理装置５１は、硬貨の投入を受ける入金口５２と、入金口５２から一括して投入された複数枚の硬貨（すなわちコイン）を受け入れてそれらを１枚ずつ後段機器へ繰出す入金繰出部５３とを有している。この入金繰出部５３は、例えば、以上に説明した図１に示した硬貨繰出装置１によって構成される。
【００７８】
硬貨処理装置５１は、さらに、入金繰出部５３から繰出された硬貨をベルトにより振分部５６へ搬送する入金搬送部５４と、入金搬送部５４による搬送路の途中に設けられていて硬貨を識別する識別部５５と、入金された硬貨を金種別に所定の収納部へ振分ける振分部５６と、利用者が投入した入金硬貨や係員が投入した補充硬貨を保留するための一時保留部５７とを有している。振分部５６は、識別部５５からの情報に基づいて、処理対象でない硬貨、例えば偽硬貨、その他の異物等、をリジェクト硬貨として、他の正規の硬貨と別に振分ける。
【００７９】
硬貨処理装置５１は、さらに、スタッカ部５８を有している。このスタッカ部５８は、硬貨を金種毎に大量に収納する収納部と、収納した硬貨を１枚ずつ繰出す（すなわち、放出する）放出機構とを備えている。この放出機構は、取引に応じて出金が必要な場合や、硬貨の回収時に作動する。この放出機構は、出金硬貨を出金搬送部へ放出し、また、回収硬貨を回収庫へ放出する。このスタッカ部５８において硬貨を１枚ずつ他の処理部へ向けて繰出す際には、以上に説明した図１に示した硬貨繰出装置１を適用できる。
【００８０】
硬貨処理装置５１は、さらに、スタッカ部５８から放出された出金硬貨を搬送する出金搬送部５９を有している。この出金搬送部５９は、上記のリジェクト硬貨や、入金繰出部５３の残留物（例えば、残留硬貨、異物等）や、利用者による返却硬貨等も搬送する。硬貨処理装置５１の接客部には出金口６１が設けられており、この出金口６１は出金搬送部５９によって搬送された硬貨を保留し、さらに出金、すなわち返却する。
【００８１】
硬貨処理装置５１の適所には補充部６２が設けられている。この補充部６２は、係員によって補充された硬貨を収納する部分であり、収納した硬貨をスタッカ部５８へ補充するために放出する放出機構をさらに有している。この放出機構として、以上に説明した図１に示した硬貨繰出装置１を適用することができる。硬貨処理装置５１は、さらに、金庫部６３を有している。係員はスタッカ部５８に収納された硬貨を回収でき、その回収した硬貨をこの金庫部へ収納できる。
【００８２】
以上に述べた各機能部は、制御部６４からの指令に従って所定の動作を行う。この制御部６４は、本発明に係る硬貨繰出装置によって構成された入金繰出部５３の制御部としても機能する。
【００８３】
以上の構成からなる本実施形態の硬貨処理装置５１は、入金繰出部５３として図１に示した硬貨繰出装置１を用いている。既述の通り、本発明に係る硬貨繰出装置１によれば、コイン出口１０（図１）から所定の時間間隔すなわち所定の距離間隔で硬貨を１枚ずつ正確に繰り出すことができるので、搬送される複数の硬貨の間隔不良による硬貨識別装置での誤認識や、誤認識の結果として無用のリジェクト（すなわち返却）が行われること、を防止できる。
【００８４】
（硬貨処理装置の第２の実施形態）
次に、本発明に係る硬貨処理装置を他の実施形態に基づいて説明する。
図１２は、本発明に係る硬貨処理装置の他の実施形態を示している。ここに示した硬貨処理装置１００においては、コイン投入部１０１から投入された複数の硬貨が硬貨繰出装置１０２へ送り込まれる。この硬貨繰出装置１０２は、例えば図１に示した本発明に係る硬貨繰出装置１によって構成される。
【００８５】
送り込まれた硬貨は、硬貨繰出装置１０２内において収納部２内に収納され、さらに回転盤３の盤面上に設けられた突起１２、内側凸部１３，１５、爪１４，１６等が回転盤３の回転に従って回転することにより１枚ずつ硬貨繰出装置１０２の外部へ繰出される。繰出された硬貨は搬送部１０６により硬貨識別装置１０７、硬貨振分装置１０８等へ搬送される。硬貨識別装置１０７は、搬送されてきた硬貨の種類を判別して信号を出力する。硬貨振分装置１０８は、搬送されてきた硬貨を硬貨識別装置１０７の出力信号に基づいて種類別に各格納部へ振分ける。
【００８６】
本実施形態の硬貨処理装置１００は、入金繰出部として図１の硬貨繰出装置１を用いている。既述の通り、本発明に係る硬貨繰出装置１によれば、コイン出口１０（図１）から所定の時間間隔すなわち所定の距離間隔で硬貨を１枚ずつ正確に繰り出すことができるので、搬送される複数の硬貨の間隔不良による硬貨識別装置１０７での誤認識や、誤認識の結果として無用のリジェクト（すなわち返却）が行われること、を防止できる。
【符号の説明】
【００８７】
１．硬貨繰出装置、２．収納部、３．回転盤（送出阻止手段）、３ａ．表材、３ｂ．第１の裏材、３ｃ．第２の裏材、３ｄ．盤面、４．本体ケーシング、５．硬貨（大硬貨）、７．コイン押圧部材（コイン押圧手段）、７ａ．コイン押圧部、８．規制部材（送出阻止手段）、９．送出レール（送出手段、送出阻止手段）、９ａ．先端部（コイン受取り部）、１０．コイン出口、１２．突起（コイン載せ用突部）、１３．内側凸部（乗上げ用突部／送出阻止手段）、１４．内側爪（コイン押用突部）、１５．外側凸部（乗上げ用突部／送出阻止手段）、１６．外側爪(コイン押用突部）、１７．掻揚げ用突部、２０．壁部材、２１．軸、２２．圧縮バネ（弾性付勢部材）、２５．発光素子、２６．受光センサ、２７ａ，２７ｂ，２７ｃ．溝、３５．小硬貨、３５Ａ．外側の硬貨、３５Ｂ．内側の硬貨、５１．硬貨処理装置、５２．入金口、５３．入金繰出部、５４．入金搬送部、５５．識別部、５６．振分部、５７．一時保留部、５８．スタッカ部、５９．出金搬送部、６１．出金口、補充部６２、金庫部６３、制御部６４、１００．硬貨処理装置、１０１．コイン投入部、１０２．硬貨繰出装置、１０６．搬送部、１０７．硬貨識別装置、１０８．硬貨振分装置、Ａ．円盤回転方向、Ｃ１，Ｃ２，Ｃ３，Ｃ４．円軌跡、Ｋ１，Ｋ２，Ｋ３，Ｋ４．貫通孔、Ｔ．テーパ面（傾斜面）、Ｘ０．中心線、Ｘｈ．水平方向、Ｘｖ．鉛直方向、θ０．回転盤の傾斜角度、θ１．コイン押圧部材の水平からの角度、θ２．コイン押圧部の見込み角度、
【図１】
2014191804.tif 000003
【図２】
2014191804.tif 000004
【図３】
2014191804.tif 000005
【図４】
2014191804.tif 000006
【図５】
2014191804.tif 000007
【図６】
2014191804.tif 000008
【図７】
2014191804.tif 000009
【図８】
2014191804.tif 000010
【図９】
2014191804.tif 000011
【図１０】
2014191804.tif 000012
【図１１】
2014191804.tif 000013
【図１２】
2014191804.tif 000014